(57)【特許請求の範囲】
【請求項１】
試験対象をなすケーブルの一対をなす心線（Ｌ１、Ｌ２）に接続可能の２つの心線接続端子（Ｔ１、Ｔ２）と、１つのサグリ線接続端子（ＳＴ）と、導通試験器接続用の２つの外部端子（ＴＭ１、ＴＭ２）と、導体抵抗測定器接続用の２つの外部端子（ＴＭ３、ＴＭ４）と、絶縁抵抗計接続用の２つの外部端子（ＴＭ５、ＴＭ６）と、アース接続用の１つのアース接続用外部端子（ＴＭ７）と、
前記サグリ線接続端子（ＳＴ）と前記導通試験器接続用の外部端子のうちの一方（ＴＭ１）とを接続した回路と、
３回路で各回路とも少なくとも９接点を有し、第１〜第３回路用セレクタ（ＲＳＷ１、ＲＳＷ２、ＲＳＷ３）の全部が同時に動いてその３回路における各接点が同時に切替わる構成を有するロータリースイッチからなる試験項目切替スイッチ（ＲＳＷ）と、
該試験項目切替スイッチ（ＲＳＷ）の第１回路用セレクタ（ＲＳＷ１）の端子と前記２つの心線接続端子のうちの一方（Ｔ１）とを接続した回路と、該試験項目切替スイッチ（ＲＳＷ）の第２回路用セレクタ（ＲＳＷ２）の端子と前記２つの心線接続端子のうちの他方（Ｔ２）とを接続した回路と、該試験項目切替スイッチ（ＲＳＷ）の第３回路用セレクタ（ＲＳＷ３）の端子と前記アース接続用外部端子（ＴＭ７）とを接続した回路とを備え、
測定側において、
前記２つの外部端子（ＴＭ１、ＴＭ２）に導通試験器の各端子を接続し、前記２つの外部端子（ＴＭ３、ＴＭ４）に導体抵抗測定器の各端子を接続し、前記２つの外部端子（ＴＭ５、ＴＭ６）に絶縁抵抗計の各端子を接続するとともに、前記１つのアース接続用外部端子（ＴＭ７）をアースに接続し、
前記サグリ線接続端子（ＳＴ）にサグリ線を接続するとともに、前記２つの心線接続端子（Ｔ１、Ｔ２）に試験対象のケーブルの心線（Ｌ１、Ｌ２）を接続した際において、前記試験項目切替スイッチ（ＲＳＷ）の３回路における各接点を同時に切替え、しかも以下の２〜４の回路において追出し側で対応する導通をとることによって、
そして、前記試験項目切替スイッチ（ＲＳＷ）における連続する９の接点の切替により、
１  ＯＦＦ、
２  心線Ｌ１−サグリ線の導通試験のための回路、
３  心線Ｌ２−サグリ線の導通試験のための回路、
４  心線Ｌ１−Ｌ２の導体抵抗測定試験のための回路、
５  心線Ｌ１、Ｌ２に帯電した電荷をアースへ逃がすための回路、
６  心線Ｌ１−アース間の絶縁抵抗試験のための回路、
７  心線Ｌ２−アース間の絶縁抵抗試験のための回路、
８  心線Ｌ１−Ｌ２間の絶縁抵抗試験のための回路、
９  心線Ｌ１、Ｌ２に帯電した電荷をアースへ逃がすための回路、
前記１〜９の各回路が順次、形成される設定とされていることを特徴とするケーブル心線切替試験装置。
【請求項２】
試験対象をなすケーブルの二対をなす心線（１Ｌ１、１Ｌ２、２Ｌ１、２Ｌ２）に接続可能の４つの心線接続端子（Ｔ１〜Ｔ４）と、１つのサグリ線接続端子（ＳＴ）と、導通試験器接続用の２つの外部端子（ＴＭ１、ＴＭ２）と、導体抵抗測定器接続用の２つの外部端子（ＴＭ３、ＴＭ４）と、絶縁抵抗計接続用の２つの外部端子（ＴＭ５、ＴＭ６）と、アース接続用の１つのアース接続用外部端子（ＴＭ７）と、
前記サグリ線接続端子（ＳＴ）と前記導通試験器接続用の外部端子のうちの一方（ＴＭ１）とを接続した回路と、
３回路で各回路とも少なくとも９接点を有し、第１〜第３回路用セレクタ（ＲＳＷ１、ＲＳＷ２、ＲＳＷ３）の全部が同時に動いてその３回路における各接点が同時に切替わる構成を有するロータリースイッチからなる試験項目切替スイッチ（ＲＳＷ）と、
該試験項目切替スイッチ（ＲＳＷ）の第１回路用セレクタ（ＲＳＷ１）の端子と、該試験項目切替スイッチ（ＲＳＷ）の第２回路用セレクタ（ＲＳＷ２）の端子とに、前記４の心線接続端子（Ｔ１〜Ｔ４）に接続された心線（１Ｌ１、１Ｌ２、２Ｌ１、２Ｌ２）のうち、各一対をなす２心線をそれぞれ、２回路で２接点を有する心線切替スイッチ（ＳＷ２１）を介して接続した回路と、
該試験項目切替スイッチ（ＲＳＷ）の第３回路用セレクタ（ＲＳＷ３）の端子と前記アース接続用外部端子（ＴＭ７）とを接続した回路とを備え、
測定側において、
前記２つの外部端子（ＴＭ１、ＴＭ２）に導通試験器の各端子を接続し、前記２つの外部端子（ＴＭ３、ＴＭ４）に導体抵抗測定器の各端子を接続し、前記２つの外部端子（ＴＭ５、ＴＭ６）に絶縁抵抗計の各端子を接続するとともに、前記１つのアース接続用外部端子（ＴＭ７）をアースに接続し、
前記サグリ線接続端子（ＳＴ）にサグリ線を接続するとともに、前記４の心線接続端子（Ｔ１〜Ｔ４）に試験対象のケーブルの複数の対をなす心線（１Ｌ１、１Ｌ２、２Ｌ１、２Ｌ２）を接続した際において、
前記心線切替スイッチ（ＳＷ２１）の切替によって、試験対象のケーブルのうちから選択した一対の心線を、前記試験項目切替スイッチ（ＲＳＷ）の第１回路用セレクタ（ＲＳＷ１）の端子と第２回路用セレクタ（ＲＳＷ２）の端子とに接続し、
その状態の下で、
前記試験項目切替スイッチ（ＲＳＷ）の３回路における各接点を同時に切替え、しかも以下の２〜４の回路において追出し側で対応する導通をとることによって、
そして、前記試験項目切替スイッチ（ＲＳＷ）における連続する９の接点の切替により、
１  ＯＦＦ、
２  心線Ｌ１−サグリ線の導通試験のための回路、
３  心線Ｌ２−サグリ線の導通試験のための回路、
４  心線Ｌ１−Ｌ２の導体抵抗測定試験のための回路、
５  心線Ｌ１、Ｌ２に帯電した電荷をアースへ逃がすための回路、
６  心線Ｌ１−アース間の絶縁抵抗試験のための回路、
７  心線Ｌ２−アース間の絶縁抵抗試験のための回路、
８  心線Ｌ１−Ｌ２間の絶縁抵抗試験のための回路、
９  心線Ｌ１、Ｌ２に帯電した電荷をアースへ逃がすための回路、
前記１〜９の各回路が順次、形成される設定とされていることを特徴とするケーブル心線切替試験装置。
【請求項３】
２つの外部端子（ＴＭ１、ＴＭ２）に導通試験器の各端子を接続し、２つの外部端子（ＴＭ３、ＴＭ４）に導体抵抗測定器の各端子を接続し、２つの外部端子（ＴＭ５、ＴＭ６）に絶縁抵抗計の各端子を接続して、導通試験器、導体抵抗測定器及び絶縁抵抗計を備えてなる、請求項１又は２のいずれか１項に記載のケーブル心線切替試験装置。
【請求項４】
試験対象をなすケーブルの一対をなす心線（Ｌ１、Ｌ２）に接続可能の２つの心線接続端子（Ｔ１、Ｔ２）と、１つのサグリ線接続端子（ＳＴ）と、導体抵抗測定器接続用の２つの外部端子（ＴＭ３、ＴＭ４）と、絶縁抵抗計接続用の２つの外部端子（ＴＭ５、ＴＭ６）と、アース接続用の１つのアース接続用外部端子（ＴＭ７）と、
前記サグリ線接続端子（ＳＴ）と前記導体抵抗測定器接続用の外部端子のうちの一方（ＴＭ３）とを接続した回路と、
３回路で各回路とも少なくとも８接点を有し、第１〜第３回路用セレクタ（ＲＳＷ１、ＲＳＷ２、ＲＳＷ３）の全部が同時に動いてその３回路における各接点が同時に切替わる構成を有し、しかも、接点８からツマミがターンオーバーして接点１に切替わることのないストッパー付きのロータリースイッチからなる試験項目切替スイッチ（ＲＳＷ）と、
該試験項目切替スイッチ（ＲＳＷ）の第１回路用セレクタ（ＲＳＷ１）の端子と前記２つの心線接続端子のうちの一方（Ｔ１）とを接続した回路と、該試験項目切替スイッチ（ＲＳＷ）の第２回路用セレクタ（ＲＳＷ２）の端子と前記２つの心線接続端子のうちの他方（Ｔ２）とを接続した回路と、該試験項目切替スイッチ（ＲＳＷ）の第３回路用セレクタ（ＲＳＷ３）の端子と前記アース接続用外部端子（ＴＭ７）とを接続した回路とを備え、
測定側において、
前記２つの外部端子（ＴＭ３、ＴＭ４）に導体抵抗測定器の各端子を接続し、前記２つの外部端子（ＴＭ５、ＴＭ６）に絶縁抵抗計の各端子を接続するとともに、前記１つのアース接続用外部端子（ＴＭ７）をアースに接続し、
前記サグリ線接続端子（ＳＴ）にサグリ線を接続するとともに、前記２つの心線接続端子（Ｔ１、Ｔ２）に試験対象のケーブルの心線（Ｌ１、Ｌ２）を接続した際において、前記試験項目切替スイッチ（ＲＳＷ）の３回路における各接点を同時に切替え、しかも以下の２〜４の回路において追出し側で対応する導通をとることによって、
そして、前記試験項目切替スイッチ（ＲＳＷ）における連続する８接点の切替えにより、
１  ＯＦＦ、
２  心線Ｌ１−サグリ線の導通試験のための回路、
３  心線Ｌ２−サグリ線の導通試験のための回路、
４  心線Ｌ１−Ｌ２の導体抵抗測定試験のための回路、
５  心線Ｌ１、Ｌ２に帯電した電荷をアースへ逃がすための回路、
６  心線Ｌ１−アース間の絶縁抵抗試験のための回路、
７  心線Ｌ２−アース間の絶縁抵抗試験のための回路、
８  心線Ｌ１−Ｌ２間の絶縁抵抗試験のための回路、
前記１〜８の各回路が順次、形成される設定とされていることを特徴とするケーブル心線切替試験装置。
【請求項５】
請求項４に記載のケーブル心線切替試験装置において、
２つの外部端子（ＴＭ３、ＴＭ４）に導体抵抗測定器の各端子を接続し、２つの外部端子（ＴＭ５、ＴＭ６）に絶縁抵抗計の各端子を接続して、導体抵抗測定器及び絶縁抵抗計を備えてなるケーブル心線切替試験装置。
【請求項６】
請求項４又は５のいずれか１項に記載のケーブル心線切替試験装置において、
前記導体抵抗測定器接続用の外部端子を、（ＴＭ３、ＴＭ４）の２つに代えて、（ＴＭ１、ＴＭ２、ＴＭ３、ＴＭ４）の４つ設け、
前記サグリ線接続端子（ＳＴ）と前記導体抵抗測定器接続用の外部端子のうちの一方（ＴＭ３）とを接続した回路に代えて、前記サグリ線接続端子（ＳＴ）と前記導体抵抗測定器接続用の外部端子のうちの一方（ＴＭ１）とを接続した回路を設け、
測定側において、前記２つの外部端子（ＴＭ３、ＴＭ４）に導体抵抗測定器の各端子を接続するのに代えて、前記２つの外部端子（ＴＭ１、ＴＭ２）に導体抵抗測定器である導通試験器の各端子を接続するとともに、前記２つの外部端子（ＴＭ３、ＴＭ４）に導体抵抗測定器の各端子を接続し、
さらに、前記試験項目切替スイッチ（ＲＳＷ）の各接点を、オープン、又は外部端子（ＴＭ３〜ＴＭ６）のうちのいずれかに配線接続することに代えて、該各接点を、オープン、又は外部端子（ＴＭ２〜ＴＭ６）のうちのいずれかに配線接続した構成を有するケーブル心線切替試験装置。
【発明の詳細な説明】
【０００１】
【発明の属する技術分野】
本発明は、通信ケーブル（信号ケーブル）の駅間切替え、或いは中間切替えなど、通信ケーブルの切替（更新）において行われる、既設ケーブル心線（回線）の導通試験による心線の確認（心線確認又は確認試験ともいう）や、新設ケーブル心線の導通試験（心線確認）、導体抵抗試験、絶縁抵抗試験などのケーブル心線の切替に好適なケーブル心線切替試験装置に関する。
【０００２】
【従来の技術】
従来、通信ケーブルの寿命等に基づくその切替に使用される、ケーブル心線切替試験装置というものはなかった。このため、従来の通信ケーブルの寿命等に基づくその切替（更新）作業は次のように行なわれていた。図１０を参照して説明する。
例えば鉄道のＣ駅（以下、Ｃ機器室（配線盤）又は単にＣという）とＤ駅（以下、Ｄ機器室（配線盤）又は単にＤという）間を結ぶ通信ケーブル５０Ｐについて、その通信ケーブルの中間におけるＡ接続点（以下、Ａという）とＢ接続点（以下、Ｂという）の間の既設ケーブルＰ１を新設ケーブルＰ２に切替える（取替える）場合で説明する。
【０００３】
この切替に際しては、切替前にＡ、Ｂ、Ｃ、Ｄの各点（各場所）にそれぞれ作業者を配置し、通話試験の後、予めサグリ線の確認等の切替前作業をする。Ａ、Ｂ、Ｃ、Ｄの各点における切替前作業、準備内容はそれぞれ次のようである。ただし、Ｃ機器室が測定（試験確認）側で、Ｄ機器室が、追い出し（線番確認）側とする。なお、作業の進行に当っては、配置された各作業者相互間で打合せ回線を利用して、通話試験の後、作業内容を打合せ確認しながら実施する。
【０００４】
（Ａ、Ｂ点での切替前作業、準備内容）
１  通話試験：打合せ回線にモニター及びヘッドホンを接続し、他の各点との通話試験を行う。
２  サグリ線の確認試験：アナログテスターＡＴの（−）側テスト棒をクリップなどで、作業者間において予め決定してあるサグリ線（５０Ｌ２）に接続する。そして、Ａ、Ｄ点間と、Ｂ、Ｄ点間で、それぞれサグリ線の確認試験を行い、切替の準備する。なお、このサグリ線の確認試験においては、それぞれ予め決めてある他の未使用線（例えば、モニターライン）を利用し、それにアナログテスターＡＴの（＋）側の端子を接触させることで行うのであるが、このときＤ点（追い出し側）では後述するよう、サグリ線とその他の未使用線（例えば、モニターライン）との間でループをとって導通させる。
【０００５】
（Ｃ点（測定側）での切替前作業、準備内容）
１  通話試験：打合せ回線にモニター及びヘッドホンを接続し、他の各点との通話試験を行う。
２  サグリ線の確認試験：導通試験用のアナログテスターＡＴの（−）側テスト棒をクリップなどで、作業者間において予め決定してある、サグリ線（５０Ｌ２）の端子に接続する。そして、Ｃ、Ｄ点間で、サグリ線の確認試験を行い、切替の準備する。このサグリ線の確認試験では、予め決めてある他の未使用線の端子を利用する点は、前記Ａ、Ｂ点での内容と同様である。
３  新設ケーブルへの切替後に、導体抵抗を測定するためのデジタルテスター及び絶縁抵抗を測定するための絶縁抵抗計を用意しておく。
【０００６】
（Ｄ点（追い出し側）での作業、準備内容）
１  通話試験：打合せ回線にモニター及びヘッドホンを接続し、他の各点との通話試験を行う。
２  サグリ線の確認試験：サグリ線用クリップコード（以下、クリップコードともいう）ＳＣの一方を予め決定してあるサグリ線（５０Ｌ２）端子に接続し、各点とのサグリ線の確認試験を行う。この各点とのサグリ線の確認試験では、予め決めてある他の未使用線の端子にクリップコードの他方を接触させる。
【０００７】
以上のようにして、各点で切替前の作業、準備（さぐり線の確認など）を実施する。そして、その切替前作業、準備を実施した後、次のようにして切替作業にかかる。
【０００８】
（切替作業）
１  Ｃ点及びＤ点のそれぞれの切替回線の心線切り分け端子（配線端子）において、ケーブルをオープンにし、無負荷、無電圧の状態にする。なお、Ｃ点では、アナログテスターＡＴの−側テスト棒は、サグリ線（５０Ｌ２）の端子に接続してある。また、Ｄ点では、クリップコードＳＣの一方端子がサグリ線（５０Ｌ２）端子に接続してある。
２  Ｃ機器室、Ｄ機器室間で、切り替えるべき既設のケーブル心線の線番及び１Ｌ１、１Ｌ２の確認（心線の導通試験）を、Ｃ点、Ｄ点の作業者が打合せしつつ実施する。
Ｄ点の作業者は、サグリ線のクリップコードＳＣの他方端子を該当線番の端子（１Ｌ１）に当接する。一方、Ｃ点の作業者は、アナログテスターＡＴの＋側テスト棒を、該当線番の端子（１Ｌ１）に当接する。そして、心線の確認試験（導通試験）をする。この確認は、Ｃ点でアナログテスターＡＴの針の振れを見ることによる。
次に対（ペア）をなす他方のケーブル心線１Ｌ２について、同様にしてＣ、Ｄ間での導通試験をする。
３  次に、Ａ、Ｄ間で、ケーブル心線の線番及び１Ｌ１、１Ｌ２の確認（心線の導通試験）をする。
Ａ点での作業は、アナログテスターＡＴの＋側テスト棒を、該当線番の心線（１Ｌ１）に当接し、導通を確認する。この確認のとき、Ｄ点の作業者は、サグリ線のクリップコードＳＣの他方端子を該当線番の端子（１Ｌ１）に当接する。
次に対をなす他方のケーブル心線１Ｌ２について、同様にしてＡ、Ｄ間での導通試験をする。
４  そして、Ｂ、Ｄ間でも、ケーブル心線の線番及び１Ｌ１、１Ｌ２の確認（心線の導通試験）をする。
Ｂ点での作業は、アナログテスターＡＴの＋側テスト棒を、該当線番の心線（１Ｌ１）に当接し、導通を確認する。この確認のときも、Ｄ点の作業者は、前と同様にサグリ線のクリップコードＳＣの他方端子を該当線番の端子（１Ｌ１）に当接する。
次に対をなす他方のケーブル心線１Ｌ２について、同様にしてＢ、Ｄ間での導通試験をする。
５  Ａ点及びＢ点で、導通試験した既設のケーブル（１Ｌ１、１Ｌ２のＡ、Ｂ間）を切断する。
６  切断したＡ、Ｂ間のケーブル（１Ｌ１、１Ｌ２）を捨てる。そして、残存させる、Ｃ点寄り部位の端と、Ｄ点寄り部位の端との間に、新設ケーブル（１Ｌ１、１Ｌ２）を配置して、その各心線の各端と接続し、新設ケーブルＰ２に切替える。
【０００９】
このようにして既設ケーブルＰ１を新設ケーブルＰ２に切替た後は、新設ケーブルの心線（１Ｌ１、１Ｌ２）について、導通試験、導体抵抗試験、絶縁抵抗試験を次々と実施する。その切替後の作業手順は次のようである。
【００１０】
（１  導通試験）
１  Ｃ機器室、Ｄ機器室間で、ケーブル心線の線番及び１Ｌ１、１Ｌ２の確認をする。
Ｄ点の作業者は、サグリ線のクリップコードＳＣの他方端子を該当線番の端子（１Ｌ１）に当接する。一方、Ｃ点の作業者は、アナログテスターＡＴの＋側テスト棒を、該当線番の端子（１Ｌ１）に当接する。そして、心線の確認試験（導通試験）をする。
その後、１Ｌ２についても、同様にしてその導通試験をする。
（２  導体抵抗測定試験）
２  Ｃ、Ｄ間で導体抵抗の測定。
Ｄ点の作業者は、クリップコードＳＣの各端子を、該当線番１Ｌ１、１Ｌ２の各端子に当接する。一方、Ｃ点の作業者は、デジタルテスター（図示せず）の＋、−の各端子を、該当線番１Ｌ１、１Ｌ２の各端子に当接する。そして、１Ｌ１、１Ｌ２の導体抵抗値を読み記録する。
（３  絶縁抵抗測定）
３  Ｃ点において（Ｃ点の作業者は）、１Ｌ１−Ｅ（アース）間、１Ｌ２−Ｅ間、１Ｌ１−１Ｌ２間の絶縁抵抗を測定する。
１Ｌ１−Ｅ間の絶縁抵抗は、図示しないが、絶縁抵抗計のアースコードをＣ機器室のアース端子に接続し、ラインコードを該当端子の１Ｌ１に当接し、１Ｌ１−Ｅ間の抵抗値を記録する。
１Ｌ２−Ｅ間の絶縁抵抗は、絶縁抵抗計のアースコードをＣ機器室のアース端子に接続し、ラインコードを該当端子の１Ｌ２に当接し、１Ｌ２−Ｅ間の抵抗値を記録する。
１Ｌ１−１Ｌ２間の絶縁抵抗は、絶縁抵抗計のアースコードを該当端子の１Ｌ１に当接し、ラインコードを該当端子の１Ｌ２に当接し、１Ｌ１−１Ｌ２間の抵抗値を記録する。
【００１１】
４  Ｃ点において絶縁抵抗測定をし終えた後は、アース用クリップコードを該当線番端子１Ｌ１、１Ｌ２のそれぞれに当接して、心線に帯電した電荷をアースに逃がす。
５  Ｃ点及びＤ点で、切り分け端子を元の状態に戻し、接続通信装置間での試験を行い、正常を確認する。
こうして、１回線（１Ｌ１、１Ｌ２）分の切り替え作業、及び切り替え作業後の導通試験、導体抵抗測定試験、絶縁抵抗測定等を終了する。
そして、この後は、ケーブルの回線数（２Ｌ１、２Ｌ２から、切替対象のケーブル線番、例えば５０Ｌ１、５０Ｌ２まで）分、上記したようにして、既設ケーブルの心線の確認試験（導通試験）及び新設ケーブルの心線の導通試験等を順次実施していた。
【００１２】
【発明が解決しようとする課題】
このように、従来のケーブルの切替作業においては、既設ケーブルＰ１の心線の導通試験（確認試験）を、そして新設ケーブルＰ２の心線の導通試験等を行う必要があり、そのケーブルの切替作業は、とくにＣ点、Ｄ点において極めて煩雑なものとなっていた。すなわち、ケーブルの対をなす心線又は１本の心線ごと、Ｃ点における作業者は、Ｃ機器室の各端子に対し、各試験機器（アナログテスターＡＴ等）の各端子の接触、或いは分離を繰り返さないといけない。またＤ点における作業者も、切り替え作業前の導通試験、切り替え作業後の導通試験、導体抵抗試験において、Ｄ機器室の端子間で試験に必要な導通を得るため、その各端子にクリップコードＳＣの端子の接触、分離を繰り返さないといけない。
【００１３】
このように、従来のケーブルの切替作業においては、その切り替え作業前と後において、各試験に対応して、Ｃ、Ｄ両機器室における作業者は連絡を取りながら頻繁に各試験機器のリード端子や、クリップコードの端子による、配線端子への接触、分離を繰り返さないといけないなど、その作業は極めて面倒なものとされていた。しかも、通信ケーブルの切替えは、限られた時間内で誤りなく行うことが必要であるため、各作業者においては、極めて緊張を強いられる大変な作業となっていた。
【００１４】
加えて、ケーブル心線の数は、数十、或いは百以上にも及ぶことがあり、その場合には、Ｃ、Ｄ両機器室においてその数の配線端子が縦列する形となる。一方、作業者において、試験機器のリード端子や、クリップコードの端子を、機器室における配線端子へ接触、分離を繰り返す際には、その接触をさせるべき配線端子、つまり既に接触をさせた配線端子の次に位置する同端子を目で追って確認していた。このため、外観上の差異のない配線端子相互間で、試験済みのものや未試験のもの、或いは未試験のものでも本来試験すべきものを飛ばしてしまうなどの感違いを招き易く、これが誤試験を発生させ、円滑な作業の進行を阻害することもあった。その結果、誤った無駄な作業を繰り返すなど、従来のケーブルの切替においては、その作業時間が長くなり、その作業コストの増大を招いていた。
【００１５】
本発明は、こうした問題点に鑑みてなされたもので、従来におけるこうしたケーブルの切り替え前、後における、ケーブル心線切替試験の格段の簡易迅速化を図ることのできるケーブル心線切替試験装置を提供することを目的としてなされたものである。
【００１６】
【課題を解決するための手段】
上記の目的を達成するための請求項１に記載のケーブル心線切替試験装置は、試験対象をなすケーブルの一対をなす心線（Ｌ１、Ｌ２）に接続可能の２つの心線接続端子（Ｔ１、Ｔ２）と、１つのサグリ線接続端子（ＳＴ）と、導通試験器接続用の２つの外部端子（ＴＭ１、ＴＭ２）と、導体抵抗測定器接続用の２つの外部端子（ＴＭ３、ＴＭ４）と、絶縁抵抗計接続用の２つの外部端子（ＴＭ５、ＴＭ６）と、アース接続用の１つのアース接続用外部端子（ＴＭ７）と、
前記サグリ線接続端子（ＳＴ）と前記導通試験器接続用の外部端子のうちの一方（ＴＭ１）とを接続した回路と、
３回路で各回路とも少なくとも９接点を有し、第１〜第３回路用セレクタ（ＲＳＷ１、ＲＳＷ２、ＲＳＷ３）の全部が同時に動いてその３回路における各接点が同時に切替わる構成を有するロータリースイッチからなる試験項目切替スイッチ（ＲＳＷ）と、
該試験項目切替スイッチ（ＲＳＷ）の第１回路用セレクタ（ＲＳＷ１）の端子と前記２つの心線接続端子のうちの一方（Ｔ１）とを接続した回路と、該試験項目切替スイッチ（ＲＳＷ）の第２回路用セレクタ（ＲＳＷ２）の端子と前記２つの心線接続端子のうちの他方（Ｔ２）とを接続した回路と、該試験項目切替スイッチ（ＲＳＷ）の第３回路用セレクタ（ＲＳＷ３）の端子と前記アース接続用外部端子（ＴＭ７）とを接続した回路とを備え、
測定側において、
前記２つの外部端子（ＴＭ１、ＴＭ２）に導通試験器の各端子を接続し、前記２つの外部端子（ＴＭ３、ＴＭ４）に導体抵抗測定器の各端子を接続し、前記２つの外部端子（ＴＭ５、ＴＭ６）に絶縁抵抗計の各端子を接続するとともに、前記１つのアース接続用外部端子（ＴＭ７）をアースに接続し、
前記サグリ線接続端子（ＳＴ）にサグリ線を接続するとともに、前記２つの心線接続端子（Ｔ１、Ｔ２）に試験対象のケーブルの心線（Ｌ１、Ｌ２）を接続した際において、前記試験項目切替スイッチ（ＲＳＷ）の３回路における各接点を同時に切替え、しかも以下の２〜４の回路において追出し側で対応する導通をとることによって、
そして、前記試験項目切替スイッチ（ＲＳＷ）における連続する９の接点の切替により、
１  ＯＦＦ、
２  心線Ｌ１−サグリ線の導通試験のための回路、
３  心線Ｌ２−サグリ線の導通試験のための回路、
４  心線Ｌ１−Ｌ２の導体抵抗測定試験のための回路、
５  心線Ｌ１、Ｌ２に帯電した電荷をアースへ逃がすための回路、
６  心線Ｌ１−アース間の絶縁抵抗試験のための回路、
７  心線Ｌ２−アース間の絶縁抵抗試験のための回路、
８  心線Ｌ１−Ｌ２間の絶縁抵抗試験のための回路、
９  心線Ｌ１、Ｌ２に帯電した電荷をアースへ逃がすための回路、
前記１〜９の各回路が順次、形成される設定とされていることを特徴とするケーブル心線切替試験装置である。
【００１７】
本発明のケーブル心線切替試験装置によれば、上記の構成を有するため、ケーブルの切替において、これを測定側に配置する。そして、２つの外部端子ＴＭ１、ＴＭ２に導通試験器の各端子を接続し、２つの外部端子ＴＭ３、ＴＭ４に導体抵抗測定器の各端子を接続し、ほかの２つの外部端子ＴＭ５、ＴＭ６に絶縁抵抗計の各端子を接続するとともに、１つのアース接続用外部端子ＴＭ７をアースに接続するとともに、サグリ線接続端子ＳＴにサグリ線を接続しておく。ここで、導通試験器にはアナログテスターを用い、導体抵抗測定器にはデジタルテスターを用いるのがよいが、導通試験器にその導体抵抗測定器を用いることも可能である。そして、２の心線接続端子Ｔ１、Ｔ２のそれぞれに、切替えるべき対をなす心線Ｌ１、Ｌ２を配線接続する。しかして、上記したＣ点で使用する場合には、前記２〜４の回路においては、追出し側（Ｄ点）で、試験に対応する導通をとることに合わせて、Ｃ点では、試験項目切替スイッチＲＳＷを切替えることのみで、前記２〜９の異なる試験回路を形成するため、２本の心線Ｌ１、Ｌ２について、簡易、迅速に切替試験を行うことができる。前記試験項目切替スイッチＲＳＷにおいて、第１〜第３回路用セレクタＲＳＷ１〜ＲＳＷ３の全部が同時に動いてその３回路における各接点が同時に切替わる構成を有するロータリースイッチにおいては、３段の各回路とも少なくとも９接点（９の固定端子）を有するもので、１つのツマミを回して、３つの可動切片（可動端子）が同時に動き、３つ同時に９接点が切替わる。
【００１８】
請求項２に記載のケーブル心線切替試験装置は、試験対象をなすケーブルの二対をなす心線（１Ｌ１、１Ｌ２、２Ｌ１、２Ｌ２）に接続可能の４つの心線接続端子（Ｔ１〜Ｔ４）と、１つのサグリ線接続端子（ＳＴ）と、導通試験器接続用の２つの外部端子（ＴＭ１、ＴＭ２）と、導体抵抗測定器接続用の２つの外部端子（ＴＭ３、ＴＭ４）と、絶縁抵抗計接続用の２つの外部端子（ＴＭ５、ＴＭ６）と、アース接続用の１つのアース接続用外部端子（ＴＭ７）と、
前記サグリ線接続端子（ＳＴ）と前記導通試験器接続用の外部端子のうちの一方（ＴＭ１）とを接続した回路と、
３回路で各回路とも少なくとも９接点を有し、第１〜第３回路用セレクタ（ＲＳＷ１、ＲＳＷ２、ＲＳＷ３）の全部が同時に動いてその３回路における各接点が同時に切替わる構成を有するロータリースイッチからなる試験項目切替スイッチ（ＲＳＷ）と、
該試験項目切替スイッチ（ＲＳＷ）の第１回路用セレクタ（ＲＳＷ１）の端子と、該試験項目切替スイッチ（ＲＳＷ）の第２回路用セレクタ（ＲＳＷ２）の端子とに、前記４の心線接続端子（Ｔ１〜Ｔ４）に接続された心線（１Ｌ１、１Ｌ２、２Ｌ１、２Ｌ２）のうち、各一対をなす２心線をそれぞれ、２回路で２接点を有する心線切替スイッチ（ＳＷ２１）を介して接続した回路と、
該試験項目切替スイッチ（ＲＳＷ）の第３回路用セレクタ（ＲＳＷ３）の端子と前記アース接続用外部端子（ＴＭ７）とを接続した回路とを備え、
測定側において、
前記２つの外部端子（ＴＭ１、ＴＭ２）に導通試験器の各端子を接続し、前記２つの外部端子（ＴＭ３、ＴＭ４）に導体抵抗測定器の各端子を接続し、前記２つの外部端子（ＴＭ５、ＴＭ６）に絶縁抵抗計の各端子を接続するとともに、前記１つのアース接続用外部端子（ＴＭ７）をアースに接続し、
前記サグリ線接続端子（ＳＴ）にサグリ線を接続するとともに、前記４の心線接続端子（Ｔ１〜Ｔ４）に試験対象のケーブルの複数の対をなす心線（１Ｌ１、１Ｌ２、２Ｌ１、２Ｌ２）を接続した際において、
前記心線切替スイッチ（ＳＷ２１）の切替によって、試験対象のケーブルのうちから選択した一対の心線を、前記試験項目切替スイッチ（ＲＳＷ）の第１回路用セレクタ（ＲＳＷ１）の端子と第２回路用セレクタ（ＲＳＷ２）の端子とに接続し、
その状態の下で、
前記試験項目切替スイッチ（ＲＳＷ）の３回路における各接点を同時に切替え、しかも以下の２〜４の回路において追出し側で対応する導通をとることによって、
そして、前記試験項目切替スイッチ（ＲＳＷ）における連続する９の接点の切替により、
１  ＯＦＦ、
２  心線Ｌ１−サグリ線の導通試験のための回路、
３  心線Ｌ２−サグリ線の導通試験のための回路、
４  心線Ｌ１−Ｌ２の導体抵抗測定試験のための回路、
５  心線Ｌ１、Ｌ２に帯電した電荷をアースへ逃がすための回路、
６  心線Ｌ１−アース間の絶縁抵抗試験のための回路、
７  心線Ｌ２−アース間の絶縁抵抗試験のための回路、
８  心線Ｌ１−Ｌ２間の絶縁抵抗試験のための回路、
９  心線Ｌ１、Ｌ２に帯電した電荷をアースへ逃がすための回路、
前記１〜９の各回路が順次、形成される設定とされていることを特徴とするケーブル心線切替試験装置である。
【００１９】
請求項１は、２つの心線つまり一対のケーブル単位で試験をするものであるが、請求項２は、二対のケーブル単位を予め心線接続端子に接続しておき、心線切替スイッチを切替えることで、一対をなす２心線単位で試験対象をなす心線の切替えをできるようにしたものである。
【００２０】
請求項２に記載のケーブル心線切替試験装置は、前記心線接続端子（Ｔ１、Ｔ２…）の数を４とし、該試験項目切替スイッチ（ＲＳＷ）の第１回路用セレクタ（ＲＳＷ１）の端子と、該試験項目切替スイッチ（ＲＳＷ）の第２回路用セレクタ（ＲＳＷ２）の端子とに、前記４の心線接続端子（Ｔ１〜Ｔ４）に接続された心線（１Ｌ１、１Ｌ２、２Ｌ１、２Ｌ２）のうち、各一対をなす２心線をそれぞれ、２回路で２接点を有する心線切替スイッチ（ＳＷ２１）を介して接続した回路としたケーブル心線切替試験装置である。ケーブル心線切替は、２対の１カッド（４心線）単位で行うのが、切替えの進行上好ましく、請求項２のものはその要請に合わせたものである。２回路で３以上（心線の対（ペア）をなす数分）の接点を有する心線切替スイッチとしてはロータリースイッチを用いるのが普通であるが、請求項２に記載のケーブル心線切替試験装置では、２回路２接点のスライドスイッチ（又はトグルスイッチ）を用いればよい。
【００２１】
請求項１又は２に記載の発明によれば、通常の試験項目の進行にしたがって試験作業を進めることができる。このとき、前記したように、５と９の回路に、「心線Ｌ１、Ｌ２に帯電した電荷をアースへ逃がすための回路」、を設定したことにより、絶縁抵抗試験において印加される電圧で帯電した電荷を常にアースに逃がすことができるため便利である。すなわち、前記ロータリースイッチが、ストッパーなしで回転自在とされているものであっても確実に、心線Ｌ１、Ｌ２に帯電した電荷をアースへ逃がすことができる。
【００２２】
請求項３に記載の発明は、２つの外部端子（ＴＭ１、ＴＭ２）に導通試験器の各端子を接続し、２つの外部端子（ＴＭ３、ＴＭ４）に導体抵抗測定器の各端子を接続し、２つの外部端子（ＴＭ５、ＴＭ６）に絶縁抵抗計の各端子を接続して、導通試験器、導体抵抗測定器及び絶縁抵抗計を備えてなる、請求項１又は２のいずれか１項に記載のケーブル心線切替試験装置である。
【００２３】
ケーブルの切替え試験では、通常、導通試験には導通試験器、導体抵抗測定には導体抵抗測定器、及び絶縁抵抗の測定には絶縁抵抗計が用いられるため、これらを備えたものとしておけば、別途、これらを準備する手間を要しないため、作業の簡易化が図られる。
【００２４】
請求項４に記載の発明は、試験対象をなすケーブルの一対をなす心線（Ｌ１、Ｌ２）に接続可能の２つの心線接続端子（Ｔ１、Ｔ２）と、１つのサグリ線接続端子（ＳＴ）と、導体抵抗測定器接続用の２つの外部端子（ＴＭ３、ＴＭ４）と、絶縁抵抗計接続用の２つの外部端子（ＴＭ５、ＴＭ６）と、アース接続用の１つのアース接続用外部端子（ＴＭ７）と、
前記サグリ線接続端子（ＳＴ）と前記導体抵抗測定器接続用の外部端子のうちの一方（ＴＭ３）とを接続した回路と、
３回路で各回路とも少なくとも８接点を有し、第１〜第３回路用セレクタ（ＲＳＷ１、ＲＳＷ２、ＲＳＷ３）の全部が同時に動いてその３回路における各接点が同時に切替わる構成を有し、しかも、接点８からツマミがターンオーバーして接点１に切替わることのないストッパー付きのロータリースイッチからなる試験項目切替スイッチ（ＲＳＷ）と、
該試験項目切替スイッチ（ＲＳＷ）の第１回路用セレクタ（ＲＳＷ１）の端子と前記２つの心線接続端子のうちの一方（Ｔ１）とを接続した回路と、該試験項目切替スイッチ（ＲＳＷ）の第２回路用セレクタ（ＲＳＷ２）の端子と前記２つの心線接続端子のうちの他方（Ｔ２）とを接続した回路と、該試験項目切替スイッチ（ＲＳＷ）の第３回路用セレクタ（ＲＳＷ３）の端子と前記アース接続用外部端子（ＴＭ７）とを接続した回路とを備え、
測定側において、
前記２つの外部端子（ＴＭ３、ＴＭ４）に導体抵抗測定器の各端子を接続し、前記２つの外部端子（ＴＭ５、ＴＭ６）に絶縁抵抗計の各端子を接続するとともに、前記１つのアース接続用外部端子（ＴＭ７）をアースに接続し、
前記サグリ線接続端子（ＳＴ）にサグリ線を接続するとともに、前記２つの心線接続端子（Ｔ１、Ｔ２）に試験対象のケーブルの心線（Ｌ１、Ｌ２）を接続した際において、前記試験項目切替スイッチ（ＲＳＷ）の３回路における各接点を同時に切替え、しかも以下の２〜４の回路において追出し側で対応する導通をとることによって、
そして、前記試験項目切替スイッチ（ＲＳＷ）における連続する８接点の切替えにより、
１  ＯＦＦ、
２  心線Ｌ１−サグリ線の導通試験のための回路、
３  心線Ｌ２−サグリ線の導通試験のための回路、
４  心線Ｌ１−Ｌ２の導体抵抗測定試験のための回路、
５  心線Ｌ１、Ｌ２に帯電した電荷をアースへ逃がすための回路、
６  心線Ｌ１−アース間の絶縁抵抗試験のための回路、
７  心線Ｌ２−アース間の絶縁抵抗試験のための回路、
８  心線Ｌ１−Ｌ２間の絶縁抵抗試験のための回路、
前記１〜８の各回路が順次、形成される設定とされていることを特徴とするケーブル心線切替試験装置である。
【００２５】
本発明の請求項４に記載のケーブル心線切替試験装置は、請求項１のケーブル心線切替試験装置（以下、単に装置ともいう）における、４つ外部端子（ＴＭ１〜ＴＭ４）のうち、ＴＭ１、ＴＭ２を省略してＴＭ３、ＴＭ４の２つにするとともに、試験項目切替スイッチＲＳＷについては３回路で８接点以上のものとして、構成の簡素化を図ったものである。すなわち、このような請求項４に記載の装置においては、これを測定側に配置し、２つの外部端子ＴＭ３、ＴＭ４に、導通試験と導体抵抗測定を兼ねることのできる導体抵抗測定器の各端子を接続するようにした点を除き、装置の各外部端子に関しては請求項１に記載の装置におけるものと同じである。そして、上記したＣ点で使用する場合にも、前記２〜４の回路においては、追出し側（Ｄ点）で、試験に対応する導通をとることに合わせて、Ｃ点では、試験項目切替スイッチＲＳＷを切替えることのみで、前記２〜８の異なる試験回路を形成できるものであり、請求項１に記載の装置におけるものと本質的な相違はない。
【００２６】
ただし、請求項４に記載のケーブル心線切替試験装置では、導通試験と導体抵抗測定とを兼用できる導体抵抗測定器を用いることとしたため、使用計器を減らすことができる。
【００２７】
請求項５に記載の発明は、請求項４に記載のケーブル心線切替試験装置において、
２つの外部端子（ＴＭ３、ＴＭ４）に導体抵抗測定器の各端子を接続し、２つの外部端子（ＴＭ５、ＴＭ６）に絶縁抵抗計の各端子を接続して、導体抵抗測定器及び絶縁抵抗計を備えてなるケーブル心線切替試験装置である。
【００２８】
請求項６に記載の発明は、請求項４又は５のいずれか１項に記載のケーブル心線切替試験装置において、
前記導体抵抗測定器接続用の外部端子を、（ＴＭ３、ＴＭ４）の２つに代えて、（ＴＭ１、ＴＭ２、ＴＭ３、ＴＭ４）の４つ設け、
前記サグリ線接続端子（ＳＴ）と前記導体抵抗測定器接続用の外部端子のうちの一方（ＴＭ３）とを接続した回路に代えて、前記サグリ線接続端子（ＳＴ）と前記導体抵抗測定器接続用の外部端子のうちの一方（ＴＭ１）とを接続した回路を設け、
測定側において、前記２つの外部端子（ＴＭ３、ＴＭ４）に導体抵抗測定器の各端子を接続するのに代えて、前記２つの外部端子（ＴＭ１、ＴＭ２）に導体抵抗測定器である導通試験器の各端子を接続するとともに、前記２つの外部端子（ＴＭ３、ＴＭ４）に導体抵抗測定器の各端子を接続し、
さらに、前記試験項目切替スイッチ（ＲＳＷ）の各接点を、オープン、又は外部端子（ＴＭ３〜ＴＭ６）のうちのいずれかに配線接続することに代えて、該各接点を、オープン、又は外部端子（ＴＭ２〜ＴＭ６）のうちのいずれかに配線接続した構成を有するケーブル心線切替試験装置である。
【００２９】
請求項４又は５においては、導通試験と導体抵抗測定を、導体抵抗測定器を用いることとしたため、計器は１つですむが、導体抵抗測定器にデジタルテスターを用いる場合には、導通試験が非効率的となるし、アナログテスターを用いる場合には、導体抵抗測定の精度が低下する。このものでは、前記２つの外部端子（ＴＭ１、ＴＭ２）に導通試験器として、アナログテスターの各端子を接続することで、導通試験を効率的に実施できるし、別の２つの外部端子（ＴＭ３、ＴＭ４）に導体抵抗測定器としてデジタルテスターの各端子を接続することで、導体抵抗測定の精度を高めることができる。
【００３０】
【発明の実施の形態】
本発明に係るケーブル心線切替試験装置の第１の実施の形態について、図１及び図２を参照して詳細に説明する。図１は、心線切替試験装置１０１の回路図であり、試験対象をなすケーブル（測定ケーブル）の一対をなす心線（ＬＩＮＥ  Ｌ１，Ｌ２）に接続可能の２つの心線接続端子Ｔ１、Ｔ２と、１つのサグリ線接続端子ＳＴと、導通試験器（本形態ではアナログテスターＡＴ）接続用の２つの外部端子ＴＭ１、ＴＭ２と、導体抵抗測定器（本形態ではデジタルテスターＤＴ）接続用の２つの外部端子ＴＭ３、ＴＭ４と、絶縁抵抗計（ＭＥ）接続用の２つの外部端子ＴＭ５、ＴＭ６と、アース接続用の１つのアース接続用外部端子ＴＭ７の、各外部接続端子を備えている。このうち、サグリ線接続端子ＳＴと導通試験器接続用の外部端子のうちの一方ＴＭ１とは配線接続されている。
【００３１】
一方、図中、ＲＳＷは、試験項目切替スイッチであり、３回路でその各回路とも９接点（固定端子）を有するもので、第１〜第３の３つの回路をもつように３段に重ねられたロータリースイッチを使用している。この試験項目切替スイッチＲＳＷは、装置外部の操作部にあるツマミ１０を回すことで、第１〜第３回路用セレクタ（可動切片）ＲＳＷ１、ＲＳＷ２、ＲＳＷ３の全部が同時に動いてその３回路における各々の９の接点（１〜９）において同時に切替わる構成を有している。なお、市販の１２接点のものでもよく、その場合には第１接点（固定端子）〜第９接点（固定端子）１〜９を用いるのが好ましい。
【００３２】
本形態では、試験項目切替スイッチＲＳＷの第１回路用セレクタＲＳＷ１の端子と、心線接続端子Ｔ１とが配線接続され、該試験項目切替スイッチＲＳＷの第２回路用セレクタＲＳＷ２の端子と、心線接続端子Ｔ２とが配線接続されている。そして、試験項目切替スイッチ（以下、ロータリースイッチとも言う）ＲＳＷの第３回路用セレクタＲＳＷ３の端子とアース接続用外部端子ＴＭ７とが配線接続されている。
【００３３】
そして、ロータリースイッチＲＳＷの第１〜第３回路用セレクタＲＳＷ１、２、３（以下、単にセレクタ１、２、３ともいう）に対応する各接点（固定端子１〜９）は、オープン、又はＴＭ２〜ＴＭ６のうちのいずれかに次のように配線接続されている（図１参照）。
【００３４】
すなわち、接点（固定端子）１は、セレクタ１、２、３のいずれに対応するものもオープン（配線接続なし）とされている。
接点２については、セレクタ１に対応するものが導通試験器接続用の外部端子ＴＭ２に配線接続され、セレクタ２、３に対応するものがオープンとされている。
【００３５】
接点３については、セレクタ１、３に対応するものがオープンとされ、セレクタ２に対応するものが導通試験器接続用の外部端子ＴＭ２に配線接続されている。
【００３６】
接点４については、セレクタ１に対応するものが導体抵抗測定器接続用の外部端子ＴＭ３に配線接続され、セレクタ２に対応するものが、導体抵抗測定器接続用の外部端子ＴＭ４に配線接続され、セレクタ３に対応するものがオープンとされている。
【００３７】
接点５については、セレクタ１、２、３に対応する各接点５相互間が配線接続されている。
【００３８】
接点６については、セレクタ１に対応するものが絶縁抵抗計接続用の外部端子ＴＭ５と配線接続され、セレクタ２に対応するものがオープンとされ、セレクタ３に対応するものが絶縁抵抗計接続用の外部端子ＴＭ６に配線接続されている。
【００３９】
接点７については、セレクタ１に対応するものがオープンとされ、セレクタ２に対応するものが絶縁抵抗計接続用の外部端子ＴＭ５に配線接続され、セレクタ３に対応するものが絶縁抵抗計接続用の外部端子ＴＭ６に配線接続されている。
【００４０】
接点８については、セレクタ１に対応するものが絶縁抵抗計接続用の外部端子ＴＭ５に配線接続され、セレクタ２に対応するものが絶縁抵抗計接続用の外部端子ＴＭ６に配線接続され、セレクタ３に対応するものがオープンとされている。
【００４１】
接点９については、セレクタ１、２、３に対応する各接点９相互間が配線接続されている。また、接点５相互間とも配線接続されている。
【００４２】
このような構成のケーブル心線切替試験装置１０１は、これを測定側（図１０におけるＣ駅）に配置し、外部端子ＴＭ１、ＴＭ２に導通試験器としてアナログテスターＡＴの各端子を接続し、外部端子ＴＭ３、ＴＭ４に導体抵抗測定器としてデジタルテスターＤＴの各端子を接続する。そして、外部端子ＴＭ５、ＴＭ６に絶縁抵抗計ＭＥの各端子を接続し、アース接続用外部端子ＴＭ７をアースに接続する。しかして、上記したように、既設のケーブル（１Ｌ１、１Ｌ２…５０Ｌ１、５０Ｌ２）から新設ケーブルへの切り替えに当っては次のようにその作業が行われる。すなわち、各点で切替前の作業、準備（さぐり線の確認など）を実施した後、次のようにして切替作業にかかる。
【００４３】
すなわち、図１０において、Ｃ点及びＤ点のそれぞれの切替回線の心線切り分け端子（配線端子）において、ケーブルをオープンにし、無負荷、無電圧の状態にする。なお、Ｄ点では、クリップコードＳＣの一方端子がサグリ線５０Ｌ２の端子に接続してある。
【００４４】
本形態のケーブル心線切替試験装置（以下、試験装置ともいう）１０１においては、上記した構成により、サグリ線接続端子ＳＴにサグリ線５０Ｌ２を接続するとともに、対をなす２の心線接続端子Ｔ１、Ｔ２に試験対象のケーブルの心線１Ｌ１、１Ｌ２を接続し、そして、ツマミ１０を回して、ロータリースイッチＲＳＷの３回路における接点（固定端子）を、接点１から接点９に同時に、順次切替える。これにより、次のようにそれぞれの試験、測定のための回路が構成される。ただし、接点２〜接点４に切替える際には、Ｄ点（追出し側）では、クリップコードＳＣで対応する導通をとる。すなわち、ロータリースイッチＲＳＷを接点１のＯＦＦから切替えると、接点２では、心線１Ｌ１（単にＬ１ともいう）−サグリ線の導通試験のための回路、接点３では、心線Ｌ２（単にＬ２ともいう）−サグリ線の導通試験のための回路、接点４では、心線Ｌ１−Ｌ２の導体抵抗測定試験のための回路、となる。そして、接点５では、心線Ｌ１、Ｌ２いずれもアースに接続される。接点６では、心線Ｌ１−アース間の絶縁抵抗試験のための回路、接点７では、心線Ｌ２−アース間の絶縁抵抗試験のための回路、接点８では、心線Ｌ１−Ｌ２間の絶縁抵抗試験のための回路が形成される。そして、接点９では、心線Ｌ１、Ｌ２いずれもアースに接続される。
【００４５】
しかして、既設ケーブルの導通試験では、Ｄ点（追出し側）で、サグリ線５０Ｌ２と心線Ｌ１間の導通をとりつつ、Ｃ点（測定側）で、ロータリースイッチＲＳＷを、そのツマミ１０を回して、接点１のＯＦＦから接点２に切替える。すると、心線Ｌ１−サグリ線の導通試験のための回路が形成されるため、作業者は、アナログテスターＡＴにおける針の振れを確認するだけで、心線Ｌ１の導通試験ができる。続いて、Ｄ点（追出し側）で、サグリ線５０Ｌ２と心線Ｌ２との導通をとりつつ、Ｃ点（測定側）で、ロータリースイッチＲＳＷをそのツマミ１０を回して、接点２から接点３に切替える。すると、心線Ｌ２−サグリ線の導通試験のための回路が形成されるため、作業者は、アナログテスターＡＴにおける針の振れを確認するだけで、心線Ｌ２の導通試験ができる。
【００４６】
次に、Ａ、Ｄ間、Ｂ、Ｄ間でも、従来のように、ケーブル心線の線番及びＬ１、Ｌ２の確認（導通試験）をし、Ａ点及びＢ点で、導通試験した既設のケーブル（Ｌ１、Ｌ２のＡ、Ｂ間）を切断する。そして、新設ケーブル（Ｌ１、Ｌ２）に切替える。このようにして既設ケーブルを新設ケーブルに切替た後は、新設ケーブルの心線（Ｌ１、Ｌ２）について、まず導通試験をする。この導通試験に当っては、前記した既設ケーブルの導通試験と全く同様にして実施できる。すなわち、Ｄ点（追出し側）で、サグリ線５０Ｌ２と心線Ｌ１との導通をとりつつ、試験装置のロータリースイッチＲＳＷを接点１のＯＦＦから接点２に切替えることで、作業者は、アナログテスターＡＴにおける針の振れを確認するだけで、心線Ｌ１の導通試験ができる。そして、Ｄ点（追出し側）で、サグリ線と心線Ｌ２との導通をとりつつ、接点２から接点３に切替えることで、作業者は、アナログテスターＡＴにおける針の振れを確認するだけで、心線Ｌ２の導通試験ができる。
【００４７】
そして、Ｄ点（追出し側）で、心線Ｌ１、Ｌ２間の導通をとりつつ、Ｃ点（測定側）で、ロータリースイッチＲＳＷを接点３から接点４に切替える。こうして、作業者は、デジタルテスターＤＴにおける導体抵抗値を確認、記録することで、導体抵抗試験ができる。
【００４８】
さらに、Ｃ点（測定側）で、ロータリースイッチＲＳＷを接点４から接点５に切替えると、心線Ｌ１、Ｌ２ともにアースに接続されるが、その後、ロータリースイッチＲＳＷを接点５から接点６に切替え、絶縁抵抗計ＭＥを確認することで、心線Ｌ１−Ｅ（アース）の間の絶縁抵抗試験ができる。そして、ロータリースイッチＲＳＷを接点６から接点７に切替え、絶縁抵抗計ＭＥを確認することで、心線Ｌ２−Ｅの間の絶縁抵抗試験ができる。さらに、ロータリースイッチＲＳＷを接点７から接点８に切替え、絶縁抵抗計ＭＥを確認することで、心線Ｌ１−Ｌ２間の絶縁抵抗試験ができる。その後、ロータリースイッチＲＳＷを接点８から接点９に切替えると、心線Ｌ１、Ｌ２ともにアースに接続されるため、絶縁抵抗試験で心線Ｌ１、Ｌ２に帯電した電荷はアースに逃がされる。また、心線Ｌ１−Ｌ２間の絶縁抵抗試験の後、ロータリースイッチＲＳＷを接点８から、接点７、接点６、そして接点５に切り替えることでも、心線Ｌ１、Ｌ２ともにアースに接続されるため、絶縁抵抗試験で心線Ｌ１、Ｌ２に帯電した電荷はアースに逃がされる。なお、その後は、Ｃ点及びＤ点で、切り分け端子を元の状態に戻し、接続通信装置間での試験を行い、正常を確認する。
【００４９】
かくして、１Ｌ１、１Ｌ２について、既設ケーブルを新設ケーブルに切替えた後は、２Ｌ１、２Ｌ２について、同様に導通試験、導体抵抗測定試験、絶縁抵抗測定等を行い、以下次々と、対をなす２本の心線づつ既設ケーブルを新設ケーブルに切替える。
【００５０】
このように、本実施の形態の試験装置１０１を用いれば、Ｃ点では、既設ケーブルを新設ケーブルに切替えるのに先立ち、本試験装置の各外部端子に各試験機器等の接続をするとともに、心線接続端子Ｔ１、Ｔ２と、切替えるケーブルの心線Ｌ１、Ｌ２に連なる端子とを接続した後は、ロータリースイッチＲＳＷを、そのツマミ１０を回転させて順次、接点を切替え、各試験器、測定器を確認するだけで所定の測定ができる。すなわち、本試験装置１０１によれば、測定側において、各試験のための回路構成が、従来のように、各テスターの各端子を端子台の各端子に、接触、分離を繰り返す煩雑な作業が不要となるため、簡単、迅速にその作業ができる。その結果、試験、測定時間の短縮化が可能となるとともに、誤試験の回避も図られる。加えて、絶縁抵抗試験により帯電した電荷を確実にアースに逃がすことができる。
【００５１】
さて次に、図３及び図４を参照して本発明の第２の実施の形態にかかる試験装置２０１について説明する。ただし、前記形態と本質的に相違する点はないので、同一の部位には同一の符号を付し、相違点を中心に説明する。すなわち、前記形態のものは、心線接続端子を２つとし、それらをそれぞれ、ロータリースイッチＲＳＷの第１回路用セレクタＲＳＷ１の端子と、第２回路用セレクタＲＳＷ２の端子とにそれぞれ直接、配線接続した回路のものとしたのに対し、次の点が相違する。
【００５２】
すなわち、この形態の試験装置２０１においては、心線接続端子を４つとし、図３上の心線接続端子Ｔ１、Ｔ２に、一対の心線（１Ｌ１、１Ｌ２）を、図３下の心線接続端子Ｔ３、Ｔ４に、別の一対の心線（２Ｌ１、２Ｌ２）を接続するように構成されている。そして、この一対の心線ごとが、２回路で２接点を有する心線切替スイッチＳＷ２１を介して、ロータリースイッチＲＳＷの第１回路用セレクタＲＳＷ１の端子と、第２回路用セレクタＲＳＷ２の端子とにそれぞれ接続されるように構成されている。すなわち、定位においては、心線接続端子Ｔ１、Ｔ２に接続された、一対の心線（１Ｌ１、１Ｌ２）が、ロータリースイッチＲＳＷの第１回路用セレクタＲＳＷ１の端子（可動端子）と、第２回路用セレクタＲＳＷ２の端子（可動端子）とにそれぞれ接続され、心線切替スイッチＳＷ２１の切替えにより、心線接続端子Ｔ３、Ｔ４に接続された、一対の心線（２Ｌ１、２Ｌ２）が、ロータリースイッチＲＳＷの第１回路用セレクタＲＳＷ１の端子と、第２回路用セレクタＲＳＷ２の端子とにそれぞれ接続されるように設定されている。
【００５３】
本形態では、２つの対（ペア）をなす心線つまり、４本の心線をなす１カッドの心線を予め、心線接続端子Ｔ１〜Ｔ４に接続しておき、心線切替スイッチＳＷ２１が定位の状態の下で、まず、一対の心線（１Ｌ１、１Ｌ２）について、前記形態におけるのと同様にして試験を行う。その後、心線切替スイッチＳＷ２１を定位から切替えて、別の一対の心線（２Ｌ１、２Ｌ２）について、前記形態におけるのと同様にして試験を行う。
【００５４】
すなわち、本形態では、心線接続端子を４つとし、心線接続端子Ｔ１〜Ｔ４とロータリースイッチＲＳＷまでの回路途中に、心線切替スイッチ（ライン切替スイッチ）ＳＷ２１を設けたものである。これにより、前記形態では、２本の心線つまり一対（Ｐａｉｒ）単位で、試験を繰返し行うものであったのに対し、このものは、２対の４心線（１カッド）単位で、試験を繰返し行うことができる。
【００５５】
なお、心線切替スイッチは、２接点ではスライドスイッチ（又はトグルスイッチ）が好ましい。
【００５６】
なお、例えば心線接続端子を４つにする場合において、前記形態では心線切替スイッチを設けたものとしたが、本発明では、導通試験器、導体抵抗測定器、絶縁抵抗計を、各々もう１台用意し、かつ、図１に示した回路、及び試験項目切替スイッチＲＳＷを２つ組み合わせることで、２対の心線について同時に試験できる。すなわち、図１の回路を含む構成を２つ用意し、一方のものの外部端子Ｔ１、Ｔ２には、１Ｌ１、１Ｌ２を接続し、他方のものの外部端子Ｔ１、Ｔ２をＴ３、Ｔ４として２Ｌ１、２Ｌ２を接続し、上記した、３回路で各回路とも９接点を有する試験項目切替スイッチＲＳＷであるロータリースイッチを２段重ねしたものとして、それぞれの第１〜第３回路用セレクタ（可動切片）ＲＳＷ１〜ＲＳＷ３が全部同時に動くものとするのである。すなわち、３回路で各回路とも９接点を有するロータリースイッチを２段重ねしたものとして、６回路で各回路とも９接点を有するロータリースイッチを用いたものである。この場合、アナログテスター、デジタルテスター、絶縁抵抗計がそれぞれ２台必要となるが、心線接続端子は、４つとなるから、２対をなす４本の心線（１Ｌ１、１Ｌ２、２Ｌ１、２Ｌ２）を接続することで、その４本について半分の時間で試験をすることができる。
【００５７】
また、本発明の試験装置の試験項目切替スイッチにおいては、最低９接点あれば足りるのであって、これを超える接点数があれば、オープンにしておけばよい。
【００５８】
さらに、ロータリースイッチが、ツマミ１０が接点８からターンオーバーせず、接点７側にしか回転しないもの（接点８でストッパー付きのもの）である場合には、８接点のロータリースイッチを用いることもできる。つまり、上記の各形態に用いた形式のロータリースイッチにおける接点９がないものを用いることができる。
【００５９】
また、上記の各形態のケーブル心線切替試験装置１０１、２０１においては、導通試験器、導体抵抗測定器及び絶縁抵抗計は、別途、用意し、導通試験器の各端子を外部端子ＴＭ１、ＴＭ２に接続し、導体抵抗測定器の各端子を外部端子ＴＭ３、ＴＭ４に接続し、絶縁抵抗計の各端子を外部端子ＴＭ５、ＴＭ６に接続したものとしたが、これら導通試験器、導体抵抗測定器及び絶縁抵抗計が予め、このように接続されていてもよい。予め、このような試験器等が接続されている試験装置においては、別途、このような試験器等を用意する必要がなくなる一方、用意されていないものでは、従来使用していた試験器等を用いることで、試験装置の低コスト化が図られる。
【００６０】
次に、本発明とは別の第１の参考例について、図５の装置の回路図に基づいて説明する。ただし、この装置３０１は、図１の実施形態の構成を簡略化したものであるため、その相違点を中心として説明し、同一の部位には、同一の符号を付し、適宜その説明を省略する。以下、他の参考例および実施の形態の説明においても同様とする。
【００６１】
図５の回路で示した装置３０１は、図１の実施形態における外部端子ＴＭ１、ＴＭ２を無くして、ＴＭ３、ＴＭ４が、導通試験と導体抵抗測定を兼ねる導体抵抗測定器（本参考例ではデジタルテスターＤＴ）接続用の２つの外部端子とされている。そして、サグリ線接続端子ＳＴと外部端子のうちの一方ＴＭ３とが配線接続されている。
【００６２】
また試験項目切替えスイッチＲＳＷについては、３回路でその各回路とも６接点（固定端子）を有するものとされ、３つの回路をもつように３段に重ねられたロータリースイッチが例示されている。この試験項目切替スイッチＲＳＷは、上記各形態におけるのと同様に、外部のツマミ（図示せず）を回すことで、第１〜第３回路用セレクタ（可動切片）ＲＳＷ１、ＲＳＷ２、ＲＳＷ３の全部が同時に動いてその３回路における各々の６の接点（１〜６）が同時に切替わる構成を有している。
【００６３】
そして、ロータリースイッチＲＳＷの第１〜第３回路用セレクタＲＳＷ１、２、３（以下、単にセレクタ１、２、３ともいう）に対応する各接点（固定端子１〜６）は、オープン、又はＴＭ３〜ＴＭ６のうちのいずれかに次のように配線接続されている。
【００６４】
すなわち、接点（固定端子）１については、セレクタ１に対応するものが外部端子ＴＭ４に配線接続され、セレクタ２、３に対応するものがオープンとされている。接点２については、セレクタ１、３に対応するものがオープンとされ、セレクタ２に対応するものが外部端子ＴＭ４に配線接続されている。接点３については、セレクタ１に対応するものが外部端子ＴＭ３に配線接続され、セレクタ２に対応するものが外部端子ＴＭ４に配線接続され、セレクタ３に対応するものがオープンとされている。
【００６５】
そして、接点４については、セレクタ１に対応するものが外部端子ＴＭ５に配線接続され、セレクタ２に対応するものがオープンとされ、セレクタ３に対応するものが外部端子ＴＭ６に配線接続されている。接点５については、セレクタ１に対応するものがオープンとされ、セレクタ２に対応するものが外部端子ＴＭ５に配線接続され、セレクタ３に対応するものが外部端子ＴＭ６に配線接続されている。接点６については、セレクタ１に対応するものが外部端子ＴＭ５に配線接続され、セレクタ２に対応するものが外部端子ＴＭ６に配線接続され、セレクタ３に対応するものがオープンとされている。
【００６６】
このような構成のケーブル心線切替試験装置３０１は、これを測定側（図１０におけるＣ駅）に配置し、外部端子ＴＭ３、ＴＭ４に、導通試験及び導体抵抗測定を兼ねる導体抵抗測定器である、例えばデジタルテスターＤＴの各端子を接続する。そして、外部端子ＴＭ５、ＴＭ６に絶縁抵抗計ＭＥの各端子を接続し、アース接続用外部端子ＴＭ７をアースに接続する。しかして、既設のケーブル（１Ｌ１、１Ｌ２…５０Ｌ１、５０Ｌ２）から新設ケーブルへの切り替えに当っては上記したのと略同様にして、その作業を行なうことができる。
【００６７】
すなわち、本参考例のケーブル心線切替試験装置３０１においても、サグリ線接続端子ＳＴにサグリ線５０Ｌ２を接続するとともに、対（ペア）をなす２の心線接続端子Ｔ１、Ｔ２に試験対象のケーブルの心線１Ｌ１、１Ｌ２を接続し、そして、ロータリースイッチＲＳＷの３回路における接点（固定端子）を、接点１から接点６に同時に順次切替えることで、その試験、測定ができる。すなわち、ロータリースイッチＲＳＷの各セレクタが接点１に接続されているときは、心線１Ｌ１（以下単にＬ１ともいう）−サグリ線の導通試験のための回路、そして、順次切替えられ、接点２では、心線１Ｌ２（以下単にＬ２ともいう）−サグリ線の導通試験のための回路、接点３では、心線Ｌ１−Ｌ２の導体抵抗測定試験のための回路、となる。そして、接点４では、心線Ｌ１−アース間の絶縁抵抗試験のための回路、接点５では、心線Ｌ２−アース間の絶縁抵抗試験のための回路、接点６では、心線Ｌ１−Ｌ２間の絶縁抵抗試験のための回路が形成される。こうして、形成された各回路を用いることで、簡易に、試験、或いは測定ができる。ただし、接点１〜接点３に切替える際には、図１０におけるＤ点（追出し側）で、クリップコードＳＣで対応する導通をとることは同じである。
【００６８】
なお、本参考例のケーブル心線切替試験装置３０１では、導通試験と導体抵抗測定とを兼用できる導体抵抗測定器（デジタルテスターＤＴ）を用いることとしたため、使用計器を減らすことができる。一方で、上記の各絶縁抵抗試験を実施した後において、心線Ｌ１、心線Ｌ２に帯電した電荷をアースに逃がす回路が、上記の形態の装置のようには形成できないので、別途アース線を接触（又は接続）することでアースに逃がすことになる。
【００６９】
また、図１０中のＡ又はＢ点において、ＡＤ間、又はＢＤ間の導通試験（５０Ｌ２（さぐり線）と１Ｌ１（心線）との導通試験）をするときにおいて、本装置３０１がＣ点に接続されており、それに導体抵抗測定器が接続されていると、Ｄ点における上記した接続がなくとも、その計器の内部配線により、Ａ又はＢ点において導通が確認されてしまうために誤検査を招くことになる。このため、ＡＤ間、又はＢＤ間の導通試験のときは、Ｃ点における本装置３０１の外部端子に接続されている導体抵抗測定器を分離しておくことを要する。
【００７０】
さて次ぎに、本発明とは別の第２の参考例について、図６で示した装置４０１の回路図に基づいて説明する。ただし、このものは、図５の参考例の改良とでもいうべきものであるため、同一の部位には、同一の符号を付し、その相違点のみ説明する。
【００７１】
すなわち、本参考例のケーブル心線切替試験装置４０１は、前記参考例において、２つの心線接続端子（Ｔ１、Ｔ２）のそれぞれを、常時はオフ回路を構成するアース用開閉スイッチ（押しボタンスイッチ）ＳＷ４１を介在させてアース端子（ＴＭ７）に接続している。また、前記参考例における心線接続端子（Ｔ１）と、ロータリースイッチＲＳＷの第１回路用セレクタＲＳＷ１の端子との間と、前記参考例における心線接続端子（Ｔ２）と、ロータリースイッチＲＳＷの第２回路用セレクタＲＳＷ２の端子との間に、回路開閉スイッチＳＷ４２が設けられている。
【００７２】
これにより本参考例では、アース用開閉スイッチＳＷ４１をオン作動する（閉とする）ことで、心線Ｌ１、心線Ｌ２に帯電した電荷をアースに逃がすことができる構成とされている。また、回路開閉スイッチＳＷ４２を開とすることで、２つの外部端子（ＴＭ３、ＴＭ４）に導体抵抗測定器の各端子を接続し、ほかの２つの外部端子（ＴＭ５、ＴＭ６）に絶縁抵抗計の各端子を接続した際においても、心線接続端子（Ｔ１）とサグリ線接続端子（ＳＴ）との間、及び心線接続端子（Ｔ２）とサグリ線接続端子（ＳＴ）との間に、導体抵抗測定器内の配線を介して導通を保持させないようにできる。
【００７３】
次ぎに、本発明とは別の第３の参考例について、図７の装置の回路図に基づいて説明する。ただし、この回路図で示した装置５０１は、図５、６の参考例の改良とでもいうべきものであるため、同一の部位には、同一の符号を付し、その相違点のみ説明する。
【００７４】
すなわち、この装置５０１は、図５の装置における試験項目切替スイッチ（ＲＳＷ）を、３回路で各回路とも７接点を有するものとし、増えた１接点を利用し、試験項目切替スイッチ（ＲＳＷ）の切替えにより、心線Ｌ１、心線Ｌ２に帯電した電荷をアースに逃がす回路を形成できるようにしたものである。すなわち、本参考例では、ロータリースイッチＲＳＷの第１〜第３回路用セレクタＲＳＷ１、２、３に対応する各接点（固定端子１〜７）のうち、その接点１〜３については、図５の装置における試験項目切替スイッチ（ＲＳＷ）の接点１〜３と同様に配線接続又はオープンにしている。そして、各セレクタＲＳＷ１、２、３に対応する各接点（固定端子１〜７）のうち、接点５〜７については、図５の装置における各セレクタＲＳＷ１、２、３に対応する各接点（固定端子４〜６）に対応させて配線接続又はオープンとしている。そして、本参考例における各セレクタＲＳＷ１、２、３に対応する接点４の相互間を配線接続している。なお、図６に示したのと同様に、回路開閉スイッチＳＷ４２が設けられているため、これを開とすることで、上記した誤検査の防止ができるようにされている。
【００７５】
これにより、本参考例の装置５０１では、図５の装置におけるのと同様の回路が形成される。その上に、ロータリースイッチ（ＲＳＷ）のツマミを正転して、接点１から７に向けて切替え、いずれかの絶縁抵抗試験のための回路を形成した後、ツマミを逆転させて導通試験或いは導体抵抗測定のための回路の形成に切替えられる前には、各セレクタの端子が接点４に接続される。これにより、絶縁抵抗試験において心線に帯電した電荷をアースへ逃がすための回路が形成されるため、アース用開閉スイッチを別途に設けることなく、その逃がし作業ができる。
【００７６】
次ぎに、本発明とは別の第４の参考例について、図８の装置の回路図に基づいて説明する。ただし、このものも、図５、６の参考例の改良とでもいうべきものであるため、同一の部位には、同一の符号を付し、その相違点のみ説明する。
【００７７】
すなわち、この装置６０１は、図５の装置における試験項目切替スイッチ（ＲＳＷ）を、３回路で各回路とも７接点を有するものとし、増えた１接点を利用し、試験項目切替スイッチ（ＲＳＷ）の切替えにより、いずれの試験、又は測定回路でもない、ＯＦＦとする回路を形成できるようにしたものである。すなわち、本参考例では、各回路の接点１〜７のうち、接点１をオープンとしておき、各回路の接点２〜７を、それぞれ図５の装置における接点１〜６に対応させて配線接続又はオープンとしたものである。
【００７８】
これにより、本参考例の装置６０１では、図５の装置におけるのと同様の試験の回路が形成されるとともに、いずれの試験、又は測定回路でもない、ＯＦＦの回路が形成される。したがって、装置６０１が図１０におけるＣ点に接続されている場合においても、試験項目切替スイッチ（ＲＳＷ）の切替えにより、セレクタを接点１としておくことで、装置はＯＦＦに保持されるため、図１０中におけるＡ又はＢ点において心線接続端子（Ｔ１）とサグリ線接続端子（ＳＴ）との間、及び心線接続端子（Ｔ２）とサグリ線接続端子（ＳＴ）との間の導通が計器内の配線を介して保持されることを容易に防止できる。なお、この回路において、図６中に示したのと同様に、２つの心線接続端子（Ｔ１、Ｔ２）のそれぞれを、常時はオフ回路を構成するアース用開閉スイッチ（押しボタンスイッチ）ＳＷ４１を介在させてアース端子（ＴＭ７）に接続しておけば、その押しボタン操作で、絶縁抵抗試験において心線に帯電した電荷をアースへ逃がすことができる。
【００７９】
図９は、本発明の第３の実施の形態（請求項４及び５に係る装置）の装置の回路図を示している。この装置７０１は、試験項目切替スイッチ（ＲＳＷ）を、３回路で各回路とも８接点を有するものとして、上記した参考例（第３、第４の参考例）における効果を併せ持つようにしたものである。したがって、同一の部位には、同一の符号を付し、その相違点のみ説明する。
【００８０】
すなわち、このものは、図７、８の装置における試験項目切替スイッチ（ＲＳＷ）を、３回路で各回路とも８接点を有するものとし、増えた２接点を利用し、試験項目切替スイッチ（ＲＳＷ）の切替えにより、心線Ｌ１、心線Ｌ２に帯電した電荷をアースに逃がす回路を形成できるようにするとともに、いずれの試験、又は測定回路でもない、ＯＦＦとする回路を形成できるようにしたものである。すなわち、本形態では、各セレクタ１〜３に対応する各接点１〜８のうち、各接点１〜４を、図８の装置における接点１〜４と同様の配線接続又はオープンとしている。そして、本形態における接点５〜８を、図７の装置における接点４〜７に対応させて配線接続又はオープンとしている。これにより、本形態では、上記した第３、第４の参考例の効果を併せ持つことができる。
【００８１】
しかも、本形態では、試験項目切替スイッチ（ＲＳＷ）をロータリースイッチとし、その連続する各接点１〜８への切替えにより、１  ＯＦＦ、２  心線Ｌ１−サグリ線の導通試験のための回路、３  心線Ｌ２−サグリ線の導通試験のための回路、４  心線Ｌ１−Ｌ２の導体抵抗測定試験のための回路、５  心線Ｌ１、Ｌ２に帯電した電荷をアースへ逃がすための回路、６  心線Ｌ１−アース間の絶縁抵抗試験のための回路、７  心線Ｌ２−アース間の絶縁抵抗試験のための回路、８  心線Ｌ１−Ｌ２間の絶縁抵抗試験のための回路、が順次形成できるので極めて使い勝手がよい。ロータリースイッチが、接点１〜８の範囲（間）でのみで、正転、又は逆転できるツマミのあるもので、接点８からツマミがターンオーバーして接点１に切替わることのない（ストッパー付き）ものである。すなわち、このようなストッパ付きのロータリースイッチを用いる場合には、接点が８ある試験項目切替スイッチを用いれば十分である。
【００８２】
また、この装置においても、２つの外部端子（ＴＭ３、ＴＭ４）に導体抵抗測定器の各端子を接続し、２つの外部端子（ＴＭ５、ＴＭ６）に絶縁抵抗計の各端子を接続して、予め導体抵抗測定器及び絶縁抵抗計を備えてなるものとしておくのが使い易さの点からして好ましい。
【００８３】
なお、図６〜９においては、導通試験と導体抵抗測定とを、装置における２つの外部端子（ＴＭ３、ＴＭ４）に１つの導体抵抗測定器の各端子を接続することとしたため、計器は１つですむが、デジタルテスターを用いる場合には、導通試験が非効率的となるし、アナログテスターを用いる場合には、導体抵抗測定の精度が低下する。本発明においては、図９に示した装置のように、試験項目切替スイッチにおける各セレクタの接点の数が、６〜８のものである場合においても、図１〜４に示した実施の形態のように、導通試験と導体抵抗測定のために４つの外部端子（ＴＭ１〜ＴＭ４）を設けてあるものとするのが好ましい。
【００８４】
すなわち、請求項６に記載したように、請求項４又は５のいずれか１項に記載のケーブル心線切替試験装置において、前記導体抵抗測定器接続用の外部端子を、（ＴＭ３、ＴＭ４）の２つに代えて、（ＴＭ１、ＴＭ２、ＴＭ３、ＴＭ４）の４つ設け、
前記サグリ線接続端子（ＳＴ）と前記導体抵抗測定器接続用の外部端子のうちの一方（ＴＭ３）とを接続した回路に代えて、前記サグリ線接続端子（ＳＴ）と前記導体抵抗測定器接続用の外部端子のうちの一方（ＴＭ１）とを接続した回路を設け、
測定側において、前記２つの外部端子（ＴＭ３、ＴＭ４）に導体抵抗測定器の各端子を接続するのに代えて、前記２つの外部端子（ＴＭ１、ＴＭ２）に導体抵抗測定器である導通試験器の各端子を接続するとともに、前記２つの外部端子（ＴＭ３、ＴＭ４）に導体抵抗測定器の各端子を接続し、
さらに、前記試験項目切替スイッチ（ＲＳＷ）の各接点を、オープン、又は外部端子（ＴＭ３〜ＴＭ６）のうちのいずれかに配線接続することに代えて、該各接点を、オープン、又は外部端子（ＴＭ２〜ＴＭ６）のうちのいずれかに配線接続した構成を有するケーブル心線切替試験装置である。例えば、図９に示した、各回路とも８接点を有する試験項目切替スイッチ（ＲＳＷ）を使用する場合には、図１において、接点９を省略したものとなる。
【００８５】
さらに、請求項４〜６のいずれか１項に記載のケーブル心線切替試験装置においても、心線接続端子は、２対のものとすることができる。そして、このときは、図３に示したように、心線切替えスイッチＳＷ２１を設け、切替えるようにすればよい。
【００８６】
なお、本発明において、導通試験器、導体抵抗測定器は、適宜のものを用いればよい。本発明は、前記各形態のものに限定されるものではなく、その要旨を逸脱しない範囲において適宜に設計変更して具体化できる。中間切替えにおいて説明したが、駅間で切替える場合にも使用できる。通信ケーブル、信号ケーブルに限定されることなく、一般回線（ケーブル）の切替えにも適用できる。
【００８７】
【発明の効果】
以上の説明から明らかなように本発明のケーブル心線切替試験装置によれば、通信ケーブルや信号ケーブルの切替えにおいて、測定側において、各試験のための回路構成が簡単、迅速にできる。その結果、試験、測定時間の短縮化が可能となるとともに、誤試験の回避も図られる。
【図面の簡単な説明】
【図１】  本発明の試験装置の第１の実施の形態を説明する回路図。
【図２】  図１の試験装置の端子及びロータリースイッチ等（操作部）の配置を示す概略構成姿図。
【図３】  本発明の試験装置の第２の実施の形態を説明する回路図。
【図４】  図３の試験装置の端子及びロータリースイッチ等（操作部）の配置を示す概略構成姿図。
【図５】  本発明とは別の試験装置の第１の参考例を説明する回路図。
【図６】  本発明とは別の試験装置の第２の参考例を説明する回路図。
【図７】  本発明とは別の試験装置の第３の参考例を説明する回路図。
【図８】  本発明とは別の試験装置の第４の参考例を説明する回路図。
【図９】  本発明の試験装置の第３の実施の形態を説明する回路図。
【図１０】  従来の駅間におけるケーブルの中間切替え作業を説明する概略構成図。
【符号の説明】
Ｌ１、Ｌ２、１Ｌ１、１Ｌ２、２Ｌ１、２Ｌ２  心線
Ｔ１〜Ｔ４  心線接続端子
ＳＴ  サグリ線接続端子
ＴＭ１、ＴＭ２  通試験器接続用の２つの外部端子
ＴＭ３、ＴＭ４  導体抵抗測定器接続用の２つの外部端子
ＴＭ５、ＴＭ６  絶縁抵抗計接続用の２つの外部端子
ＴＭ７  アース接続用の１つのアース接続用外部端子
ＲＳＷ  試験項目切替スイッチ
ＲＳＷ１  第１回路用セレクタ
ＲＳＷ２  第２回路用セレクタ
ＲＳＷ３  第３回路用セレクタ
ＡＴ  導通試験器
ＤＴ  導体抵抗測定器
ＭＥ  絶縁抵抗計
ＳＷ２１  心線切替スイッチ
ＳＷ４１  アース用開閉スイッチ
ＳＷ４２  回路開閉スイッチ
１０１、２０１、３０１、４０１、５０１、６０１、７０１  ケーブル心線切替試験装置
【図１】
0003939259.tif 000002
【図２】
0003939259.tif 000003
【図３】
0003939259.tif 000004
【図４】
0003939259.tif 000005
【図５】
0003939259.tif 000006
【図６】
0003939259.tif 000007
【図７】
0003939259.tif 000008
【図８】
0003939259.tif 000009
【図９】
0003939259.tif 000010
【図１０】
0003939259.tif 000011